(57)【要約】【課題】変形しやすく、且つ元の形状に戻りやすい弾性体を配設したボールペンのキャップを提供する。【解決手段】本発明は、前記課題を解決するために、キャップ本体の先端部に設けた挿入部に、ボールを回転自在に抱持したボールペンチップのチップ先端部を密閉する弾性体を配設するボールペンのキャップにおいて、前記弾性体が、表層部と、前記表層部より硬度の高い内層部と、中空部とからなる、略円筒形状であるとともに、前記表層部が、ボールペンチップのチップ先端部を密閉することを特徴とする。【選択図】        図１
2010125642.tif 000002
【特許請求の範囲】
【請求項１】
キャップ本体の先端部に設けた挿入部に、ボールを回転自在に抱持したボールペンチップのチップ先端部を密閉する弾性体を配設するボールペンのキャップにおいて、前記弾性体が、表層部と、前記表層部より硬度の高い内層部と、中空部とからなる、略円筒体であるとともに、前記表層部が、ボールペンチップのチップ先端部を密閉することを特徴とするボールペンのキャップ。
【請求項２】
前記弾性体が、前記挿入部に設けた内方突起を中空部内に挿嵌してあることを特徴とする請求項１に記載のボールペンのキャップ。
【請求項３】
前記弾性体が、前記挿入部に、回転自在に配設してあることを特徴とする請求項１または２に記載のボールペンのキャップ。
【請求項４】
前記挿入部が、前記キャップ本体の軸心に対し、偏心した位置に設けてあることを特徴とする請求項３に記載のボールペンのキャップ。
【発明の詳細な説明】
【技術分野】
【０００１】
本発明は、ボールを回転自在に抱持したボールペンチップのチップ先端部を密閉する弾性体を配設するボールペンのキャップに関する。
【背景技術】
【０００２】
従来から、インキ収容筒や軸筒の内部に低粘度の水性インキや剪断減粘性を付与したインキを直詰めにしたボールペンでは、軸筒にキャップを装着した状態でも、内圧の上昇やチップ先端部を下向きにしておくとチップ先端部からインキが漏れてしまう。そのため、キャップの内孔にゴム等からなる弾性体を配設し、キャップを装着した際に、チップ先端部を弾性体に圧接し、弾性体を圧縮変形させてチップ先端部を密封することにより、前記インキ漏れを防止する筆記具のキャップは知られている。
【０００３】
こうしたチップ先端部を密閉する弾性体としては、実公平５−３３４６号公報「筆記具のキャップ」で開示されている球状の弾性体や、実用新案登録第２５６６６６４号公報「塗布具」で開示されている、チップ先端部と当接する面と反対側に窪みを有する、縦断面が略Ｈ字形状であり、且つチップ先端部との当接面が平坦状及び球状の弾性体等が知られている。
【特許文献１】「実公平５−３３４６号公報」
【特許文献２】「実用新案登録第２５６６６６４号公報」
【発明の開示】
【発明が解決しようとする課題】
【０００４】
しかし、従来の弾性体において、特許文献１のような球状の弾性体は、方向性がないため、組立性において優れているが、チップ先端部を弾性体に圧接し、弾性体の圧縮変形のみによって、チップ先端部を密閉しているので、キャップをしたままの状態で長期保存すると弾性体が変形した状態を維持してしまうため、元の形状に戻りにくくなり、次にキャップをする時にチップ先端部を密閉しにくかった。
【０００５】
また、特許文献２のような当接面が平坦状の弾性体は、チップ先端部との当接部が平坦状であるため、急激にチップ先端部を密閉すると、弾性体とチップ先端部との間の空気が、ボールとチップ先端部の内壁との間から進入する、いわゆる空気の呑み込み現象が発生する問題があった
【０００６】
本発明は上記問題を鑑み、変形しやすく、且つ元の形状に戻りやすい弾性体を配設したボールペンのキャップを提供するものである。
【課題を解決するための手段】
【０００７】
前記目的を達成するために本発明では、キャップ本体の先端部に設けた挿入部に、ボールを回転自在に抱持したボールペンチップのチップ先端部を密閉する弾性体を配設するボールペンのキャップにおいて、前記弾性体が、表層部と、前記表層部より硬度の高い内層部と、中空部とからなる、略円筒形状であるとともに、前記表層部が、ボールペンチップのチップ先端部を密閉することを特徴とする。
【０００８】
また、前記弾性体が、前記挿入部に設けた内方突起を中空部内に挿嵌してあることを特徴とする。
【０００９】
また、前記弾性体が、前記挿入部に、回転自在に配設してあることを特徴とする。
【００１０】
さらにまた、前記挿入部が、前記キャップ本体の軸心に対し、偏心した位置に設けてあることを特徴とする。
【００１１】
本発明における弾性体は、弾性変形可能な天然ゴム、シリコーンゴム、ブチルゴム、フッ素ゴム、塩化ビニル樹脂、ブタジエンゴム、ウレタンゴム、ポリエチレン樹脂、その他合成ゴム等、一般的に知られている弾性体のなかから、チップ先端部の材質や構造、インキの成分等に応じて適宜選定すればよい。
【００１２】
また、本発明における弾性体の硬度は、特に限定されるものではないが、また表層部には、ＪＩＳ  Ａが６０より大きいと、変形し難く、密閉性が低下するので、ＪＩＳ  Ａで６０以下とすることが好ましい。また、内層部は、表層部よりも硬度が高く、且つＪＩＳ  Ａが８０より低いと、配設時に変形しやすくなるため、ＪＩＳ  Ａで８０以上とすることが好ましい。
【発明の効果】
【００１３】
本発明は、前述した構成なので、変形しやすく、且つ元の形状に戻りやすい弾性体を配設したボールペンのキャップを提供することができた。
【発明を実施するための最良の形態】
【００１４】
以下、図面を参照して本発明の実施の形態を説明する。尚、図面中同じ部材、同じ部品については同じ番号を付してある。
【００１５】
図１〜図４に示す、第１の実施の形態におけるボールペンのキャップ１は、キャップ本体２の先端部２ａの内孔に、突部３ａを有するリブ３を４本形成して、リブ３の内接空間からなる挿入部４を形成してある。キャップ本体２の先端部には、クリップ６と突起部５ａを有する頭冠部５を装着してある。
【００１６】
リブ３の内接空間からなる挿入部４には、弾性体７を配設してある。挿入部４の内径は弾性体７の全長Ｌより大きくしてあるので、挿入された弾性体７はリブ３によって抜け落ちすることなく挿入部４内に圧入して、ボールペンのキャップを得ている。
【００１７】
弾性体７は、外側から硬度の低い表層部７ａ（ＪＩＳ  Ａ  ３０）、硬度の高い内層部７ｂ（ＪＩＳ  Ａ  ８０）の積層構造を２色成形により形成して、中央に中空部７ｃを形成した略円筒体に形成してある。
【００１８】
前記作製したボールペンのキャップ１を、ボールを回転自在に抱持したボールペンチップ９を有する軸筒８に装着すると、キャップ本体２内孔の嵌合凸部２ｂと軸筒８外周面の被嵌合凸部８ａが当接時に、ボールペンチップ９の先端部が弾性体７に接触し、嵌合凸部２ｂと被嵌合凸部８ａが乗り越し終了後、すなわちボールペンのキャップ１を軸筒８に完全に装着した状態で、弾性体７は、頭冠５の突起部５ａにより軸方向への移動を規制されているため圧縮変形し、ボールペンチップ９の先端部を密封して気密性を確保することができる。
【００１９】
ボールペンチップ９の先端部に当接する弾性体７の表層部７ａの硬度を低くしてあるので、変形しやすく、ボールペンチップ９の先端部を確実に覆い、密閉することができる。また、弾性体７は、中空部７ｃを有するために、構造的にも変形し易い。
【００２０】
また、弾性体７は、硬度の低い表層部７ａと、表層部７ａよりも硬度の高い内層部７ｂの積層構造としてあるので、ボールペンチップ９が圧接して変形した状態から、硬度の高い内層部７ｂによって、元の状態に戻りやすくすることができる。
【００２１】
図５、図６に示す、第２の実施の形態におけるボールペンのキャップ１１は、キャップ本体１２の先端部１２ａに設けた挿入部１４に、弾性体７を配設する。この時、円筒体の弾性体７は、挿入部１４に設けた内方突起１３が中空部７ｃに挿嵌して、弾性体７を配設した以外は、第１の実施の形態と同様にしてボールペンのキャップ１１を得ている。
【００２２】
弾性体７の中空部７ｃに、挿入部１４に設けた内方突起１３を挿嵌して配設することによって、安定して弾性体７を保持することができ、変形した弾性体７を内方突起１３によって元の形状に戻りやすくすることができる。
【００２３】
図７に示す、第３の実施の形態におけるボールペンのキャップ２１は、キャップ本体２２の先端部２２ａに設けた挿入部２４に弾性体７を配設する。この時、キャップ本体２２の軸心Ｊから偏心した位置に、挿入部２４の軸心ｊを位置して配設し、弾性体７を回転自在に配設した以外は、第１の実施の形態と同様にしてボールペンのキャップ２１を得ている。
【００２４】
弾性体７を回転自在に配設することによって、ボールペンチップが弾性体７に当接して回転し、ボールペンチップの先端部に圧接する部分が移動し、弾性体７に付着するインキが、一箇所に集中し難くすることができる。
【００２５】
また、挿入部２４の軸心ｊが、キャップ本体２２の軸心Ｊに対して偏心した位置としてあるため、挿入部２４に配設した弾性体７は、図示はしていないが、ボールペンチップが弾性体７に当接した時に、外壁の円弧中央からずれた位置に当接するために、弾性体７を回転し易くすることができるので好ましい。
【００２６】
弾性体は、回転する距離が長い程、インキが付着していない面によって、ボールペンチップの先端部を密閉することできるので好ましく、具体的には、３０度以上、好ましくは４５度以上回転することが望ましい。尚、繰り返しキャップを装着し、弾性体が３６０度回転しても、経時によって、弾性体に付着したインキは乾燥固化しているため、チップ先端部を汚し難い。
【００２７】
本実施の形態では、便宜上、キャップと軸筒の嵌合方法として突部と突起部の乗り越え嵌合を用いたが、凹凸嵌合、圧入嵌合等、一般的に知られているキャップと軸筒の嵌合方法を用いることができる。また、キャップと本体を完全に装着した状態で、弾性体が圧縮変形し、チップ先端部を密封することができれば、チップ先端部と弾性体の接触時期は特に限定されない。
【００２８】
また、弾性体の配設方法も、凹凸嵌合、圧入嵌合等、一般的に知られている弾性体の配設方法を用いることができるが、弾性体を回転自在に配設することによって、ボールペンチップの先端部に圧接する部分が移動し、弾性体に付着するインキが、一箇所に集中し難くなるので好ましい。
【産業上の利用可能性】
【００２９】
本発明のボールペンのキャップは、油性ボールペン用インキ、水性ボールペン用インキ、剪断減粘性インキ等、インキの種類に限定されることなく、キャップ式ボールペンとして広く実施可能である。
【図面の簡単な説明】
【００３０】
【図１】第１の実施の形態におけるボールペンのキャップを示す、縦断面図である。
【図２】図１における９０度方向から見た拡大縦断面図である。
【図３】図１における、弾性体の拡大縦断面図である。
【図４】図２における、弾性体の拡大縦断面図である。
【図５】図１における、軸筒を装着した状態の、一部省略した拡大縦断面図である。
【図６】第２の実施の形態におけるボールペンのキャップを示す、縦断面図である。
【図７】第３の実施の形態におけるボールペンのキャップを示す、縦断面図である。
【符号の説明】
【００３１】
１、１１、２１  ボールペンのキャップ
２、１２、２２  キャップ本体
２ａ、１２ａ、２２ａ  先端部
２ｂ  嵌合凸部
３、１３、２３  リブ
４、１４、２４  挿入部
５  頭冠
５ａ  突起部
６  クリップ
７  弾性体
７ａ  表層部
７ｂ  内層部
７ｃ  中空部
８  軸筒
９  ボールペンチップ
１３ａ内方突起
２３ａ  突部
ｊ  挿入部の軸心
Ｊ  キャップ本体の軸心
【図１】
2010125642.tif 000003
【図２】
2010125642.tif 000004
【図３】
2010125642.tif 000005
【図４】
2010125642.tif 000006
【図５】
2010125642.tif 000007
【図６】
2010125642.tif 000008
【図７】
2010125642.tif 000009